(57)【要約】【課題】コントラスト感を増加させつつ、高輝度の領域においても色鮮やかな映像を実現することができる液晶表示装置及び液晶テレビを提供する。【解決手段】バックライトエリア制御部１５は、コントラスト強調部１５１による処理を行った場合、高輝度領域検出部１５２によって高輝度領域となるバックライト１７のエリアを検出する。高輝度領域検出部１５２によって高輝度領域に検出された各エリアのＬＥＤ１７Ｒ，１７Ｇ，１７Ｂの輝度の比率を、ＬＥＤ輝度決定部１５３が変更する。【選択図】図１
2013134335.tif 000002
【特許請求の範囲】
【請求項１】
複数色のカラーフィルタを有する液晶パネルと、前記カラーフィルタに対応する色の光をそれぞれ照射する複数色の光源を前記液晶パネルに対向する平面上に有するバックライトと、該バックライトの各光源の輝度を、前記光源を複数エリアに分割したエリア毎に制御するバックライト制御部とを備え、入力されたカラー映像信号に基づいてカラー映像を表示する液晶表示装置において、
前記液晶パネル中で前記バックライトの各エリアの光源が光を照射する各領域に表示されるカラー映像信号に基づいて、各エリアの輝度を、該輝度に応じて上下させる輝度制御部と、
該輝度制御部によって上下された各エリアの輝度が所定値以上であるか否かを判定する輝度判定部と、
輝度が所定値以上であるエリアにおける各光源の輝度の比率を、対応する領域に表示されるカラー映像の各色の比率となるように変更する高輝度領域制御部と
を備えることを特徴とする液晶表示装置。
【請求項２】
前記輝度制御部は、低輝度のエリアの輝度を下げ、高輝度のエリアの輝度を上げる処理を行うようにしてあることを特徴とする請求項１に記載の液晶表示装置。
【請求項３】
前記輝度制御部による各エリアの輝度制御の要否を受け付ける要否受付部を備え、
前記輝度制御部は、前記要否受付部にて輝度制御を要することを受け付けた場合、各エリアの輝度を制御する処理を行うようにしてある
ことを特徴とする請求項１又は請求項２に記載の液晶表示装置。
【請求項４】
前記カラー映像の種類を判定する判定部を備え、
前記輝度制御部は、前記判定部の判定結果に応じて各エリアの輝度を制御する処理を行うようにしてある
ことを特徴とする請求項１から請求項３までのいずれか一つに記載の液晶表示装置。
【請求項５】
前記カラー映像信号の送出元の機器を判定する判定部を備え、
前記輝度制御部は、前記判定部の判定結果に応じて各エリアの輝度を制御する処理を行うようにしてある
ことを特徴とする請求項１から請求項３までのいずれか一つに記載の液晶表示装置。
【請求項６】
カラー映像信号を受信する映像受信部と、
請求項１から請求項５までのいずれか一つに記載の液晶表示装置と
を備え、
前記液晶表示装置が、前記映像受信部が受信したカラー映像信号に基づいてカラー映像を表示するようにしてあることを特徴とする液晶テレビ。
【発明の詳細な説明】
【技術分野】
【０００１】
本発明は、複数色のカラーフィルタに対応して複数色の光を照射する複数の光源を含むバックライトを用い、カラー映像を表示する液晶表示装置及び液晶テレビに関する。
【背景技術】
【０００２】
液晶表示装置は、液晶パネルがバックライトから照射された光を透過又は遮断させることによって映像を表示する。近年では、バックライトを複数のエリアに分割し、エリア毎に輝度を制御する駆動方法が用いられている。このような方法を利用した技術として、ローカルディミング技術やＨＤＲ（High Dynamic Range）技術が知られている。
【０００３】
ローカルディミング技術は、表示される映像の一部が低輝度である場合に、その部分に対応するバックライトのエリアの輝度を下げることで、低輝度の領域をより低輝度で表示させる技術である。またＨＤＲ技術は、低輝度の領域をより低輝度で表示させるだけでなく、映像の一部が高輝度である場合に、その部分に対応するバックライトのエリアの輝度を上げることで、高輝度の領域をより高輝度で表示させ、映像全体のコントラスト感を増加させる技術である。
【０００４】
またバックライトに、赤（Ｒ），緑（Ｇ）及び青（Ｂ）の３色のＬＥＤ（Light-Emitting Diode）からなるＲＧＢ−ＬＥＤ光源を用いた液晶表示装置も提案されている（特許文献１参照）。このような液晶表示装置では、エリア毎に輝度を高低させるだけでなく、各エリア内の３色のＬＥＤそれぞれの輝度を制御することにより、赤，緑及び青の原色の色純度を高めることができ、表示映像の色域を高めることができる。
【先行技術文献】
【特許文献】
【０００５】
【特許文献１】特開２００７−３２２９４４号公報
【発明の概要】
【発明が解決しようとする課題】
【０００６】
上述のＨＤＲ技術を用いた場合、高輝度の領域においては、より高輝度で表示させることにより輝いたように見える反面、色が薄くなってしまうという問題がある。この問題を解決する方法として、高輝度の領域に対して色を濃くする等の方法が考えられる。しかし、例えば、ＨＤＲ技術に関する処理を行うＩＣ（Integrated Circuit）と、映像を表示させるために映像信号に各種処理を行うＩＣとが異なる構成の場合、映像のどの領域の輝度を上げるのか、また輝度を上げるタイミング等の情報を取得することが困難である。従って、そのような場合には、映像全体の色を濃くする等、ＨＤＲ技術によって高輝度となった領域以外の領域にも影響が生じるような処理を行わざるを得ない。
また、ＨＤＲ技術を用いることによって映像のコントラスト感を増加させることが可能であるが、映像によっては不要にコントラスト感を増加させた場合、ディレクターズインテンションに反した映像となる虞がある。
【０００７】
本発明は斯かる事情に鑑みてなされたものであり、コントラスト感を増加させつつ、高輝度の領域においても色鮮やかな映像を実現することができる液晶表示装置及び液晶テレビを提供することを目的とする。
【課題を解決するための手段】
【０００８】
本発明に係る液晶表示装置は、複数色のカラーフィルタを有する液晶パネルと、前記カラーフィルタに対応する色の光をそれぞれ照射する複数色の光源を前記液晶パネルに対向する平面上に有するバックライトと、該バックライトの各光源の輝度を、前記光源を複数エリアに分割したエリア毎に制御するバックライト制御部とを備え、入力されたカラー映像信号に基づいてカラー映像を表示する液晶表示装置において、前記液晶パネル中で前記バックライトの各エリアの光源が光を照射する各領域に表示されるカラー映像信号に基づいて、各エリアの輝度を、該輝度に応じて上下させる輝度制御部と、該輝度制御部によって上下された各エリアの輝度が所定値以上であるか否かを判定する輝度判定部と、輝度が所定値以上であるエリアにおける各光源の輝度の比率を、対応する領域に表示されるカラー映像の各色の比率となるように変更する高輝度領域制御部とを備えることを特徴とする。
【０００９】
本発明に係る液晶表示装置は、前記輝度制御部は、低輝度のエリアの輝度を下げ、高輝度のエリアの輝度を上げる処理を行うようにしてあることを特徴とする。
【００１０】
本発明に係る液晶表示装置は、前記輝度制御部による各エリアの輝度制御の要否を受け付ける要否受付部を備え、前記輝度制御部は、前記要否受付部にて輝度制御を要することを受け付けた場合、各エリアの輝度を制御する処理を行うようにしてあることを特徴とする。
【００１１】
本発明に係る液晶表示装置は、前記カラー映像の種類を判定する判定部を備え、前記輝度制御部は、前記判定部の判定結果に応じて各エリアの輝度を制御する処理を行うようにしてあることを特徴とする。
【００１２】
本発明に係る液晶表示装置は、前記カラー映像信号の送出元の機器を判定する判定部を備え、前記輝度制御部は、前記判定部の判定結果に応じて各エリアの輝度を制御する処理を行うようにしてあることを特徴とする。
【００１３】
本発明に係る液晶テレビは、カラー映像信号を受信する映像受信部と、上述したいずれかの液晶表示装置とを備え、前記液晶表示装置が、前記映像受信部が受信したカラー映像信号に基づいてカラー映像を表示するようにしてあることを特徴とする。
【００１４】
本発明にあっては、液晶パネルが複数色のカラーフィルタを有し、バックライトが、カラーフィルタに対応する色の光をそれぞれ照射する複数色の光源を有する。バックライトは、予め分割された複数エリア毎に、各エリアに含まれる光源の輝度が制御される。バックライトの各エリアが光を照射する液晶パネルの各領域に表示されるカラー映像信号に基づいて、各エリアの輝度が、該輝度に応じて上下される。また上下された各エリアの輝度が所定値以上であった場合、このエリアにおける各色の輝度の比率を、対応する領域に表示されるカラー映像の各色の比率となるように変更することよって、高輝度領域の色を濃くすることができる。輝度が所定値以上であるエリアに対してのみ輝度を変更することによって、それ以外の領域に影響を与えない。
【００１５】
本発明にあっては、低輝度のエリアの輝度を下げ、高輝度のエリアの輝度を上げることによって、映像のコントラスト感を増加させた場合においても、高輝度領域に生じる問題の発生を抑制できる。よって、コントラスト感を増加させつつ、高輝度領域の色を鮮明にすることができる。
【００１６】
本発明にあっては、バックライトの各エリアの輝度を上下させる輝度制御の要否を受け付け、輝度制御を要することを受け付けた場合、各エリアの輝度の制御を行う。使用者は、コントラストを強調させるか否かを選択することができる。
【００１７】
本発明にあっては、使用者が視聴するコンテンツ（カラー映像）の種類に応じて、バックライトの各エリアの輝度を上下させる処理を行うか否かを自動的に切り替えることが可能である。よって、コンテンツの種類に応じて、コントラストを強調させるか否かを切り替えることができる。
【００１８】
本発明にあっては、表示すべきカラー映像信号の送出元の機器に応じて、バックライトの各エリアの輝度を上下させる処理を行うか否かを自動的に切り替えることが可能である。よって、使用者が選択した入力ソース（機器）毎に、コントラストを強調させるか否かを切り替えることができる。
【発明の効果】
【００１９】
本発明によれば、コントラスト感を増加させつつ、高輝度の領域においても色鮮やかな映像を実現することができる。
【図面の簡単な説明】
【００２０】
【図１】本発明に係る液晶テレビの要部の一構成例を示したブロック図である。
【図２】バックライトの一構成例を模式的に示した説明図である。
【図３】コントラスト強調部による処理を説明するための図表である。
【図４】バックライトのエリア制御例を模式的に示した説明図である。
【図５】バックライトエリア制御部の処理手順を示したフローチャートである。
【図６】実施の形態２の液晶テレビの要部の一構成例を示したブロック図である。
【発明を実施するための形態】
【００２１】
以下、本発明をその実施の形態を示す図面に基づいて詳述する。本実施の形態に係る液晶テレビは、外部から入力されたカラー映像信号に基づいてカラー映像を表示する。カラー映像信号は、テレビ放送による映像信号であってもよいし、ＢＤ（Blu-ray Disc）等の記録媒体から読み出される映像信号であってもよいし、ネットワークを介して入力される映像信号であってもよい。
【００２２】
（実施の形態１）
図１は、本発明に係る液晶テレビの要部の一構成例を示したブロック図である。
本実施の形態１の液晶テレビ（液晶表示装置）は、入力信号切換部１１、映像処理部１２、パネル駆動部１３、液晶パネル１４、バックライトエリア制御部１５、バックライト駆動部１６、バックライト１７等を有する。また、本実施の形態１の液晶テレビは、図示しないチューナ（映像受信部）を有する。
【００２３】
液晶パネル１４は、スペーサを介して対向配置された略長方形の２枚のガラス基板間に液晶を封入してなり、正面側のガラス基板の対向面には、赤（Ｒ）、緑（Ｇ）及び青（Ｂ）の３原色カラーフィルタと、対向電極とが配されている。背面側のガラス基板の対向面には、横方向の走査線及び縦方向の信号線がマトリクス状に配されており、走査線と信号線との交差部分には、各画素に対応した液晶部分に電圧を印加するためのアクティブ素子、例えばＴＦＴ（Thin Film Transistor）及び画素電極が設けられている。各ＴＦＴのゲート電極は走査線に接続され、ソース電極は信号線に接続されている。また、各ガラス基板の外側には、ＴＦＴがオフの状態でバックライトの光が透過するように図示しない偏光フィルムが配されている。
【００２４】
パネル駆動部１３は、液晶パネル１４の走査線に接続された走査信号駆動回路と、信号線に接続された信号電極駆動回路とを有する。走査信号駆動回路は、例えば、シフトレジスタ回路で構成されており、走査信号を各走査線に順次与えることによって、横方向に並んだＴＦＴのゲートをオン状態にする。信号電極駆動回路は、例えばシフトレジスタ回路とサンプルホールド回路とから構成され、各信号線に、赤、緑及び青の信号を出力する。該信号は、縦方向に並んだＴＦＴゲートのドレイン又はソースに印加される。
走査信号駆動回路が一の走査線に走査信号を印加することによって、水平方向のＴＦＴを一斉にオン状態とし、その間に信号電極駆動回路が一水平ライン分の赤、緑及び青のカラー映像に係る信号を信号線に印加することで、走査線及び信号線の交点画素にカラー映像に係る情報を書き込むことができる。これを縦方向に順次走査することにより、赤、緑及び青のカラー映像に係る信号の電圧が液晶パネル１４の全画素に対応する画素電極に印加される。液晶層を通過する光透過量は、画素電極に印加された電圧によって変化するため、バックライト１７の光透過量がカラー映像に係る信号の大きさによって制御される。赤、緑及び青の各画素フィルタを透過した３色の光は、加法混色の原理により、フルカラー映像として視聴者に表示される。
【００２５】
バックライト１７は、液晶パネル１４の背面側に設けられている。バックライト１７は、平皿状のバックライトシャーシ、バックライトシャーシに配された反射シート及び複数の光源を有する。図２は、バックライト１７の一構成例を模式的に示した説明図である。バックライト１７は、矩形状の複数のエリア１７０に全体が分割されており、各エリア１７０にはそれぞれ赤（Ｒ）のＬＥＤ１７Ｒ、緑（Ｇ）のＬＥＤ１７Ｇ及び青（Ｂ）のＬＥＤ１７Ｂの３色のＬＥＤ（Light-Emitting Diode）が設けられている。２次元状に設けられた複数のＬＥＤが発光することにより、バックライト１７は面状に発光する。なお、図２では、各エリア１７０には、ＬＥＤ１７Ｒ，１７Ｇ，１７Ｂがそれぞれ４個ずつ設けられているが、４個に限定されない。バックライト１７は、エリア１７０毎に発光を制御される。このようなバックライト１７を用いることにより、エリア１７０毎に発光率を高低させるのみではなく、各エリア１７０内のＬＥＤ１７Ｒ，１７Ｇ，１７Ｂの輝度をそれぞれ制御できる。
またバックライト１７の正面側には、バックライト１７からの光を均一に拡散させ、液晶パネル１４に入射させるための光学シートが配されている。
【００２６】
バックライト駆動部１６は、バックライトエリア制御部１５からの制御信号に基づいて、バックライト１７の赤のＬＥＤ（Ｒ−ＬＥＤ）１７Ｒ、緑のＬＥＤ（Ｇ−ＬＥＤ）１７Ｇ、青のＬＥＤ（Ｂ−ＬＥＤ）１７Ｂの発光を制御する。なお、バックライト駆動部（バックライト制御部）１６は、バックライト１７のエリア１７０毎に、ＬＥＤ１７Ｒ，１７Ｇ，１７Ｂのそれぞれの輝度（発光率）を制御する。
【００２７】
入力信号切換部１１は複数の入力端子を有しており、１つの入力端子にはチューナが接続されている。また、他の入力端子には、例えばＢＤレコーダ、ハードディスクレコーダ、デジタルスチルカメラ、デジタルビデオカメラ、ゲーム機、ＰＣ（Personal Computer）、携帯端末機等の外部機器が接続可能である。なお、ＢＤレコーダ及びハードディスクレコーダは一体に構成されたものであってもよい。
入力信号切換部１１は、映像信号の入力元として、チューナ及び外部機器のいずれかが接続された入力端子を選択し、選択した入力端子を介して入力される映像信号を映像処理部１２に与える。
【００２８】
例えば、本実施の形態１の液晶テレビは、使用者が操作する遠隔操作装置から送信された赤外線の遠隔操作信号を受信する受付部（図示せず）と、受付部が受け付けた信号に基づいて、液晶テレビを構成する各部の動作を制御する制御部（図示せず）とを有する。
使用者は、テレビ放送による映像信号を液晶テレビで視聴したい場合、又は、いずれかの外部機器に記録されている映像信号を液晶テレビで再生したい場合、遠隔操作装置を用いて、その旨を指示する。使用者がテレビ放送信号の視聴を指示した場合、制御部は、チューナからの映像信号を選択する指示を入力信号切換部１１に与える。また、使用者がいずれかの外部機器の再生処理を指示した場合、制御部は、選択された外部機器からの映像信号を選択する指示を入力信号切換部１１に与える。これにより、使用者が選択した映像信号（テレビ放送信号又は外部機器からの映像信号）が、入力信号切換部１１によって適宜切り換えられて後段に与えられる。
【００２９】
映像処理部１２は、入力信号切換部１１から与えられた映像信号に対して各種の信号処理を行い、入力されたカラー映像信号に基づいて、カラー映像に係る赤、緑及び青を示す信号を取得する。映像処理部１２は、例えば、ＲＧＢ信号を生成する処理、デジタル変換処理、３次元Ｙ／Ｃ分離処理、色空間変換処理、スケーリング処理、色補正処理、同期検出処理、ガンマ補正処理等の処理を適宜行う。
映像処理部１２は、得られた信号をパネル駆動部１３及びバックライトエリア制御部１５に与える。よって、パネル駆動部１３は、映像処理部１２から与えられた信号に基づいて液晶パネル１４を駆動させる。
【００３０】
バックライトエリア制御部１５は、映像処理部１２から与えられた赤、緑及び青の信号に基づいて、バックライト１７の各エリア１７０の各ＬＥＤ１７Ｒ，１７Ｇ，１７Ｂの輝度（発光率）を決定する。具体的には、バックライトエリア制御部１５は、バックライト１７の各エリア１７０が照明する液晶パネル１４中の領域毎に、各領域に表示される映像の階調値（例えば最大階調値）に基づいて、各エリア１７０の各ＬＥＤ１７Ｒ，１７Ｇ，１７Ｂの輝度を決定する。なお、バックライトエリア制御部１５は、各エリア１７０のＬＥＤ１７Ｒ，１７Ｇ，１７Ｂを同程度の輝度で発光させて白色光を照射させるように制御する。
【００３１】
また、バックライトエリア制御部１５は、コントラスト強調部１５１と、高輝度領域検出部１５２と、ＬＥＤ輝度決定部１５３とを有する。コントラスト強調部（輝度制御部）１５１は、各エリア１７０に対応する液晶パネル１４の各領域の映像に基づいて、低輝度のエリア１７０の輝度を下げ、高輝度のエリア１７０の輝度を上げる処理を行う。これにより、コントラストを強調させた映像が得られる。なお、コントラスト強調部１５１は、変換前の各輝度と変換後の各輝度との関係を記憶したルックアップテーブル（ＬＵＴ：Look Up Table）を用いて各輝度を変換してもよいし、所定の関数に基づいて各輝度を変換してもよい。コントラスト強調部１５１は、それぞれ輝度を上下させた各エリア１７０について、各エリア１７０のＬＥＤ１７Ｒ，１７Ｇ，１７Ｂの輝度を上下させる。
【００３２】
図３は、コントラスト強調部１５１による処理を説明するための図表である。図３に示した図表において、横軸は映像の輝度レベルを示すＩＲＥを、縦軸はコントラスト強調部１５１による処理の前後におけるＩＲＥの変化度合いをそれぞれ示す。図３の図表に示すように、コントラスト強調部１５１による処理によって、低輝度のエリア１７０では輝度が下げられ、高輝度のエリア１７０では輝度が上げられる。
【００３３】
高輝度領域検出部（輝度判定部）１５２は、コントラスト強調部１５１によって輝度が変更された各エリア１７０について、輝度が所定値以上であるエリア１７０（以下、高輝度領域という）を検出する。なお、コントラスト強調部１５１が行う処理内容は予め把握できるので、高輝度領域検出部１５２は、コントラスト強調部１５１による処理後の各エリア１７０の輝度ではなく、映像処理部１２からの信号に基づく各エリア１７０の輝度によって、高輝度領域であるエリア１７０を検出してもよい。高輝度領域検出部１５２は、例えば、図３に示す図表において、コントラスト強調部１５１による処理前のＩＲＥが７０以上であるエリア１７０を高輝度領域として検出する。
【００３４】
ＬＥＤ輝度決定部１５３は、高輝度領域検出部１５２によって高輝度領域であると検出されたエリア１７０について、このエリア１７０のＬＥＤ１７Ｒ，１７Ｇ，１７Ｂの輝度を更に変更する。具体的には、ＬＥＤ輝度決定部１５３は、高輝度領域として検出されたエリア１７０の各ＬＥＤ１７Ｒ，１７Ｇ，１７Ｂの発光率を、各エリア１７０に対応する液晶パネル１４の領域に表示される映像の各色の比率となるように変更する。例えば、各色が２５６階調で表現されるものとした場合、映像の赤、緑及び青の階調値がそれぞれ２３０、２０５及び２５である場合、ＬＥＤ輝度決定部１５３は、各ＬＥＤ１７Ｒ，１７Ｇ，１７Ｂの発光率を９０％、８０％、１０％とする。
【００３５】
バックライトエリア制御部１５は、コントラスト強調部１５１及びＬＥＤ輝度決定部１５３による処理を行い、バックライト１７のエリア１７０毎に、各ＬＥＤ１７Ｒ，１７Ｇ，１７Ｂの輝度（発光率）を示す制御信号をバックライト駆動部１６に与える。
【００３６】
図４は、バックライト１７のエリア制御例を模式的に示した説明図である。図４に示す映像は、緑色の山の上に赤色の太陽（夕日）があり、山の麓（映像の下側）に青色の湖があり、夕日が湖に映っている映像である。図４に示した例では、８×４の３２エリアに分割されており、各エリア１７０毎に、ＬＥＤ１７Ｒ，１７Ｇ，１７Ｂの各輝度が制御される。なお、バックライト１７を分割するエリア１７０の数は３２個に限定されない。図４に示す映像では、例えば夕日を表示する領域Ｒ１又は山を表示する領域Ｒ２では赤又は緑の階調値が高くなるので高輝度領域となりやすく、高輝度領域であった場合、対応するエリア１７０の各ＬＥＤ１７Ｒ，１７Ｇ，１７Ｂの輝度の比率が、映像の各色の階調値の比率に制御される。
【００３７】
コントラスト強調部１５１による処理のようにコントラストが強調される処理が行われた場合、高輝度領域で色が薄くなる問題が生じる。しかし、上述のように高輝度領域については、各エリア１７０のＬＥＤ１７Ｒ，１７Ｇ，１７Ｂの輝度の比率を映像の各色の比率とすることによって、色を濃くすることができる。なお、高輝度領域以外のエリア１７０についてはコントラストが強調された映像となる。
なお、バックライトエリア制御部１５において、コントラスト強調部１５１、高輝度領域検出部１５２及びＬＥＤ輝度決定部１５３による処理は、例えば、使用者が遠隔操作装置を介して所定の表示モードを設定し、受付部（要否受付部）が表示モードを受け付けた場合にのみ実行される。コントラスト強調部１５１、高輝度領域検出部１５２及びＬＥＤ輝度決定部１５３による処理を実行させる表示モードとしては、例えばダイナミックモードである。
【００３８】
図５は、バックライトエリア制御部１５の処理手順を示したフローチャートである。バックライトエリア制御部１５は、制御部からの指示に基づいて、コントラスト強調部１５１による処理を実行するか否かを判断し（Ｓ１１）、コントラスト強調部１５１による処理を実行しないと判断した場合（Ｓ１１：ＮＯ）、処理を終了する。この場合、バックライトエリア制御部１５は、映像処理部１２から与えられた信号に基づいて、バックライト１７の各エリア１７０の各ＬＥＤ１７Ｒ，１７Ｇ，１７Ｂの輝度を決定し、決定した輝度を示す制御信号をバックライト駆動部１６に与える。
【００３９】
コントラスト強調部１５１による処理を実行すると判断した場合（Ｓ１１：ＹＥＳ）、バックライトエリア制御部１５は、コントラスト強調部１５１による処理を実行する（Ｓ１２）。これにより、液晶パネル１４の各領域の映像に基づいて、低輝度のエリア１７０の輝度が下げられ、高輝度のエリア１７０の輝度が上げられる。バックライトエリア制御部１５は、バックライト１７の各エリア１７０について、輝度が所定値以上である高輝度領域であるか否かを判断する（Ｓ１３）。
【００４０】
高輝度領域であると判断した場合（１３：ＹＥＳ）、バックライトエリア制御部１５は、このエリア１７０のＬＥＤ１７Ｒ，１７Ｇ，１７Ｂの輝度の比率を、液晶パネル１４の対応する領域に表示される映像の各色の比率に変更し（Ｓ１４）、処理を終了する。高輝度領域でないと判断した場合（Ｓ１３：ＮＯ）、バックライトエリア制御部１５は、ステップＳ１４の処理をスキップする。バックライトエリア制御部１５は、コントラスト強調部１５１及びＬＥＤ輝度決定部１５３によって処理された各エリア１７０の各ＬＥＤ１７Ｒ，１７Ｇ，１７Ｂの輝度を示す制御信号をバックライト駆動部１６に与える。
【００４１】
本実施の形態１にあっては、コントラスト強調部１５１によってコントラスト感を増加させつつ、コントラストを強調した場合に高輝度領域において色が薄くなるという問題を解消して高輝度領域においても色鮮やかな映像を実現できる。また、使用者による表示モードの設定に応じて、コントラスト強調部１５１による処理を実行するか否かを切り替えることができるので、不要なコントラスト強調処理を行わない。例えば、映画の映像信号に対してコントラストを強調した場合、ディレクターズインテンションに反した映像となる場合があるが、このような映像信号に対してはコントラスト強調処理を行わない。上述のように、コントラスト強調処理を行った場合であっても、高輝度領域において色が薄くなるという問題を考慮する必要がなくなるので、システムとしてシンプルに構成することができる。
【００４２】
（実施の形態２）
図６は、実施の形態２の液晶テレビの要部の一構成例を示したブロック図である。本実施の形態２の液晶テレビは、入力信号切換部１１、映像処理部１２、パネル駆動部１３、液晶パネル１４、バックライトエリア制御部１５、バックライト駆動部１６及びバックライト１７のほかに、コンテンツ検出部１８を有する。なお、上述の実施の形態１と同様の構成については同一の符号を付して説明を省略する。
【００４３】
コンテンツ検出部（判定部）１８は、入力信号切換部１１から与えられた映像信号に基づいて、映像信号のコンテンツとしてのジャンル（種類）を検出する。例えばテレビ放送信号にコンテンツ情報（ジャンル情報）が付加されている場合には、コンテンツ検出部１８は、入力された映像信号からコンテンツ情報を取得し、映像信号のジャンルを特定できる。コンテンツのジャンルとしては、例えば、映画、スポーツ、ニュース、バラエティ等がある。コンテンツ検出部１８は、特定したジャンルをバックライトエリア制御部１５に通知する。なお、コンテンツ検出部１８は、特定したジャンルを制御部（図示せず）にも与え、制御部は、コンテンツ検出部１８から与えられたジャンルに基づいて液晶テレビの各部の動作を制御する。
【００４４】
本実施の形態２のバックライトエリア制御部１５は、コンテンツ検出部１８から通知されたジャンルに基づいて、コントラスト強調部１５１、高輝度領域検出部１５２及びＬＥＤ輝度決定部１５３による処理を実行するか否かを切り替える。例えば、バックライトエリア制御部１５は、映像信号のジャンルが映画以外であった場合、コントラスト強調部１５１、高輝度領域検出部１５２及びＬＥＤ輝度決定部１５３による処理を実行する。なお、コントラスト強調部１５１、高輝度領域検出部１５２及びＬＥＤ輝度決定部１５３による処理を実行させるジャンルは、映画以外のジャンルに限定されない。
【００４５】
本実施の形態２のバックライトエリア制御部１５は、上述の実施の形態１で図５に基づいて説明した処理と同様の処理を実行し、映像信号のジャンルに応じてコントラスト強調処理を行い、コントラスト強調処理を行った場合に高輝度領域となったエリア１７０の各ＬＥＤ１７Ｒ，１７Ｇ，１７Ｂの輝度を変更する処理を行う。なお、図５に示したフローチャートのステップＳ１１において、本実施の形態２のバックライトエリア制御部１５は、コンテンツ検出部１３から通知されたジャンルに基づいて、コントラスト強調部１５１による処理を実行するか否かを判断する。その他の処理は、上述の実施の形態１で説明した処理と同じである。
【００４６】
上述の処理により、使用者が視聴する映像信号のジャンルに応じて、コントラスト強調処理を行うか否かを自動的に切り替えることができる。また、コントラストが強調された場合に、高輝度領域となる各エリア１７０のＬＥＤ１７Ｒ，１７Ｇ，１７Ｂの輝度の比率を映像の各色の比率に変更することにより、高輝度領域においても色鮮やかな映像を表示できる。
【００４７】
上述したように、本実施の形態２の液晶テレビは、映像信号のジャンルに応じて、バックライトエリア制御部１５による処理を切り替える構成である。このほかに、入力信号切換部１１を介して入力される映像信号の入力元（送出元）の機器に応じて、コントラスト強調部１５１、高輝度領域検出部１５２及びＬＥＤ輝度決定部１５３による処理を実行するか否かを切り替えてもよい。
このような構成のバックライトエリア制御部１５は、図５に示したフローチャートのステップＳ１１において、入力信号切換部１１によって切り換えられた映像信号の入力元の機器に応じて、コントラスト強調部１５１による処理を実行するか否かを判断する。その他の処理は、上述の実施の形態１で説明した処理と同じである。
【００４８】
例えば、ＢＤから再生される映像信号は映画の映像信号である場合が多く、入力元の機器がＢＤレコーダである場合にはコントラスト強調部１５１による処理を実行しないようにすることによって、不要なコントラスト強調処理の実行が抑制される。
上述の処理により、使用者が再生したい外部機器に応じて、コントラスト強調処理を行うか否かを自動的に切り替えることができる。また、コントラストが強調された場合に、高輝度領域においても色鮮やかな映像を表示できる。
【００４９】
今回開示された実施の形態はすべての点で例示であって、制限的なものでは無いと考えられるべきである。また、液晶テレビはチューナやＢＤ等の再生装置を含むものはもとより、その外部からパーソナルコンピューター等の映像信号を入力するものも含まれる。すなわち、本発明の範囲は、上記した意味では無く、特許請求の範囲によって示され、特許請求の範囲と均等の意味及び範囲内でのすべての変更が含まれることが意図される。
【符号の説明】
【００５０】
１１  入力信号切換部
１２  映像処理部
１３  パネル駆動部
１４  液晶パネル
１５  バックライトエリア制御部
１６  バックライト駆動部（バックライト制御部）
１７  バックライト
１８  コンテンツ検出部（判定部）
１５１  コントラスト強調部（輝度制御部）
１５２  高輝度領域検出部（輝度判定部）
１５３  ＬＥＤ輝度決定部（高輝度領域制御部）
１７Ｒ  Ｒ−ＬＥＤ（光源）
１７Ｇ  Ｇ−ＬＥＤ（光源）
１７Ｂ  Ｂ−ＬＥＤ（光源）
【図１】
2013134335.tif 000003
【図２】
2013134335.tif 000004
【図３】
2013134335.tif 000005
【図４】
2013134335.tif 000006
【図５】
2013134335.tif 000007
【図６】
2013134335.tif 000008